(57)【要約】【課題】  著作権保護を維持しつつ、記録する媒体のみを変換することができる映像信号転送装置を提供する。【解決手段】  テープの情報を再生する再生手段１０１と、映像信号とそれ以外の信号とを振り分ける信号振分手段１０３と、映像信号に著作権保護信号が挿入されているか判断する著作権保護信号検出手段１０４と、著作権保護信号が挿入されている場合に、デジタルコピー不可信号を生成するデジタルコピー不可信号生成手段１０５と、映像信号及びそれ以外の信号を対応したデータ形式に変換する変換手段１０６と、変換された映像信号及びそれ以外の信号と、デジタルコピー不可信号とをデジタルディスクに記録する記録手段１０７と、著作権保護信号が挿入されていると判断され、かつ変換された映像信号及びそれ以外の信号と、デジタルコピー不可信号との記録が開始された場合にテープに記録された情報を消去する記録信号消去手段１０２とを備える。【選択図】  図１
2005198234.tif 000002
【特許請求の範囲】
【請求項１】
磁気テープにアナログ記録された情報を前記磁気テープには前記情報が残ることなく、デジタルディスクに前記情報をすべて転送する映像信号転送装置であって、
前記磁気テープに記録された前記情報を前記デジタルディスクに転送するために前記磁気テープから前記情報を再生する再生手段と、
前記再生手段によって再生された前記情報から、映像を示す映像信号と前記映像信号以外の信号とを振り分ける信号振分手段と、
前記信号振分手段によって振り分けられた前記映像信号にコピーを不可とする著作権保護信号が挿入されているか否かを判断する著作権保護信号検出手段と、
前記著作権保護信号検出手段が前記映像信号に前記著作権保護信号が挿入されていると判断した場合に、前記デジタルディスクの規格に対応した著作権保護信号であるデジタルコピー不可信号を生成するデジタルコピー不可信号生成手段と、
前記デジタルコピー不可信号生成手段によって前記デジタルコピー不可信号が生成された場合に、前記映像信号及び前記映像信号以外の信号を前記デジタルディスクの規格に対応したデータ形式に変換する変換手段と、
前記変換手段によって変換された前記映像信号及び前記映像信号以外の信号と、前記デジタルコピー不可信号とを前記デジタルディスクに記録する記録手段と、
前記著作権保護信号検出手段によって前記著作権保護信号が挿入されていると判断され、かつ前記変換手段によって変換された前記映像信号及び前記映像信号以外の信号と、前記デジタルコピー不可信号との前記デジタルディスクへの記録が前記記録手段によって開始された場合に、前記再生手段によって再生された前記磁気テープに記録された前記情報を消去する記録信号消去手段とを、
備える映像信号転送装置。
【請求項２】
前記変換手段によって変換された前記映像信号及び前記映像信号以外の信号と、前記デジタルコピー不可信号との前記記録手段による前記デジタルディスクへの記録と、前記再生手段によって再生された前記磁気テープに記録された前記情報の前記記録信号消去手段による消去とが完了するまで、前記転送の処理を継続させる継続手段をさらに備えた請求項１に記載の映像信号転送装置。
【請求項３】
磁気テープにアナログ記録された情報を前記磁気テープには前記情報が残ることなく、デジタルディスクに前記情報をすべて転送する映像信号転送装置であって、
前記磁気テープに記録された前記情報を前記デジタルディスクに転送するために前記磁気テープから前記情報を再生する再生手段と、
前記再生手段によって再生された前記情報から、映像を示す映像信号と前記映像信号以外の信号とを振り分ける信号振分手段と、
前記信号振分手段によって振り分けられた前記映像信号にコピーを不可とする著作権保護信号が挿入されているか否かを判断する著作権保護信号検出手段と、
前記著作権保護信号検出手段が前記映像信号に前記著作権保護信号が挿入されていると判断した場合に、前記デジタルディスクの規格に対応した著作権保護信号であるデジタルコピー不可信号を生成するデジタルコピー不可信号生成手段と、
前記デジタルコピー不可信号生成手段によって前記デジタルコピー不可信号が生成された場合に、前記映像信号及び前記映像信号以外の信号を前記デジタルディスクの規格に対応したデータ形式に変換する変換手段と、
前記変換手段によって変換された前記映像信号及び前記映像信号以外の信号と、前記デジタルコピー不可信号とを前記デジタルディスクに記録する記録手段と、
前記記録手段によって前記デジタルディスクに記録された前記映像信号及び前記映像信号以外の信号が、転送前の前記磁気テープに記録された前記情報と同一の内容として前記デジタルディスクに記録されたか否かを認証する第１の認証手段と、
前記第１の認証手段によって、転送前の前記磁気テープに記録された前記情報と同一の内容として前記デジタルディスクに記録されたと認証され、かつ前記著作権保護信号検出手段によって前記著作権保護信号が挿入されていると判断された場合に、前記磁気テープに記録された前記情報を消去する記録信号消去手段とを、
備える映像信号転送装置。
【請求項４】
前記記録信号消去手段は、前記再生手段によって再生された前記磁気テープに記録された前記情報を、所定の時間間隔の記録部分を除きすべて消去する請求項１から３のいずれか１つに記載の映像信号転送装置。
【請求項５】
前記記録信号消去手段によって消去された前記情報が、適切に消去されたか否かを認証する第２の認証手段をさらに備える請求項４に記載の映像信号転送装置。
【請求項６】
磁気テープにアナログ記録された情報を前記磁気テープには前記情報が残ることなく、デジタルディスクに前記情報をすべて転送する映像信号転送装置であって、
前記磁気テープに記録された前記情報を前記デジタルディスクに転送するために前記磁気テープから前記情報を再生する再生手段と、
前記再生手段によって再生された前記情報から、映像を示す映像信号と前記映像信号以外の信号とを振り分ける信号振分手段と、
前記信号振分手段によって振り分けられた前記映像信号にコピーを不可とする著作権保護信号が挿入されているか否かを判断する著作権保護信号検出手段と、
前記著作権保護信号検出手段が前記映像信号に前記著作権保護信号が挿入されていると判断した場合に、前記デジタルディスクの規格に対応した著作権保護信号であるデジタルコピー不可信号を生成するデジタルコピー不可信号生成手段と、
前記デジタルコピー不可信号生成手段によって前記デジタルコピー不可信号が生成された場合に、前記映像信号及び前記映像信号以外の信号を前記デジタルディスクの規格に対応したデータ形式に変換する変換手段と、
前記変換手段によって変換された前記映像信号及び前記映像信号以外の信号と、前記デジタルコピー不可信号とを前記デジタルディスクに記録する記録手段と、
前記著作権保護信号検出手段によって前記著作権保護信号が挿入されていると判断され、かつ前記変換手段によって変換された前記映像信号及び前記映像信号以外の信号と、前記デジタルコピー不可信号との前記デジタルディスクへの記録が前記記録手段によって開始された場合に、前記再生手段によって再生された前記磁気テープに前記映像信号転送装置を用いて転送したことが確認可能な所定の情報を重ね書きする重ね書き手段とを、
備える映像信号転送装置。
【請求項７】
前記重ね書き手段によって重ね書きされた所定の前記情報を認証する第３の認証手段をさらに備える請求項６に記載の映像信号転送装置。
【請求項８】
前記デジタルディスクに、専用の識別情報が付加されたデジタルディスクが用いられ、前記専用の識別情報を検出するための識別情報検出手段をさらに備える請求項１から７に記載の映像信号転送装置。
【発明の詳細な説明】
【技術分野】
【０００１】
本発明は、記録済み媒体に記録された情報を別媒体に転送する映像信号転送装置に関する。
【背景技術】
【０００２】
従来のアナログＶＨＳ方式の記録済みカセットテープにおいて、映画などを記録したものでは不正コピーを禁止する目的で、著作権保護信号が映像信号内に挿入されていた。かかる著作権保護信号として最も広く用いられている代表的な信号は、マクロビジョン方式と呼ばれるものである。同信号は、例えばアナログ映像輝度信号の垂直ブランキング期間内に挿入され、水平同期信号の周期に外乱を与えることで、結果的にＴＶでの画像表示に影響を与えず、かつビデオ機器へは正常にコピー不可とする効果があった。現在、家庭用として市場にあるすべてのビデオ信号記録装置は、同著作権保護機能の効果が正常に現れるように、すなわち記録が正常に行われないように設計がなされている。このようなビデオ信号記録装置が下記の非特許文献１に開示されている。したがって、このようなマクロビジョン信号付き映画ビデオは、他の媒体へのコピーが不可とされてきた。一方、技術の進歩により、記録媒体は従来のアナログＶＨＳテープからデジタルディスクに急速に置き換わろうとしている。デジタルディスクは、耐久性が半永久的であることなど、コンテンツの保存により適した特徴を有するからである。
【非特許文献１】http://www.jvc-victor.co.jp/download/catalog/videodeck.pdf
【発明の開示】
【発明が解決しようとする課題】
【０００３】
しかしながら、非特許文献１に開示されているビデオ信号記録装置では、マクロビジョン信号付き映画ビデオは他の媒体へのコピーを行うことができないように設計されているため、長い歴史と共に広く家庭に普及したアナログＶＨＳテープの映画などのカセットを有するユーザは、デジタルディスク時代の恩恵を受けるために、新たにデジタルディスク方式の映画などのカセットを別途購入する必要があった。また、所望のデジタルディスク方式の映画などのカセットが販売されていればよいが、デジタルディスク方式で販売されていない映画などのカセットも多く存在しており、その場合、それらは従来の媒体でしか再生することができないという問題があった。
【０００４】
本発明は、上記問題を解決するためのものであり、著作権保護を維持しつつ、記録する媒体のみを変換することができる映像信号転送装置を提供することを目的とする。
【課題を解決するための手段】
【０００５】
上記目的を達成するために、本発明によれば、磁気テープにアナログ記録された情報を前記磁気テープには前記情報が残ることなく、デジタルディスクに前記情報をすべて転送する映像信号転送装置であって、前記磁気テープに記録された前記情報を前記デジタルディスクに転送するために前記磁気テープから前記情報を再生する再生手段と、前記再生手段によって再生された前記情報から、映像を示す映像信号と前記映像信号以外の信号とを振り分ける信号振分手段と、前記信号振分手段によって振り分けられた前記映像信号にコピーを不可とする著作権保護信号が挿入されているか否かを判断する著作権保護信号検出手段と、前記著作権保護信号検出手段が前記映像信号に前記著作権保護信号が挿入されていると判断した場合に、前記デジタルディスクの規格に対応した著作権保護信号であるデジタルコピー不可信号を生成するデジタルコピー不可信号生成手段と、前記デジタルコピー不可信号生成手段によって前記デジタルコピー不可信号が生成された場合に、前記映像信号及び前記映像信号以外の信号を前記デジタルディスクの規格に対応したデータ形式に変換する変換手段と、前記変換手段によって変換された前記映像信号及び前記映像信号以外の信号と、前記デジタルコピー不可信号とを前記デジタルディスクに記録する記録手段と、前記著作権保護信号検出手段によって前記著作権保護信号が挿入されていると判断され、かつ前記変換手段によって変換された前記映像信号及び前記映像信号以外の信号と、前記デジタルコピー不可信号との前記デジタルディスクへの記録が前記記録手段によって開始された場合に、前記再生手段によって再生された前記磁気テープに記録された前記情報を消去する記録信号消去手段とを備える映像信号転送装置が提供される。
【０００６】
また、本発明の映像信号転送装置において、前記変換手段によって変換された前記映像信号及び前記映像信号以外の信号と、前記デジタルコピー不可信号との前記記録手段による前記デジタルディスクへの記録と、前記再生手段によって再生された前記磁気テープに記録された前記情報の前記記録信号消去手段による消去とが完了するまで、前記転送の処理を継続させる継続手段をさらに備えたことは、本発明の好ましい態様である。
【０００７】
また、本発明によれば、磁気テープにアナログ記録された情報を前記磁気テープには前記情報が残ることなく、デジタルディスクに前記情報をすべて転送する映像信号転送装置であって、前記磁気テープに記録された前記情報を前記デジタルディスクに転送するために前記磁気テープから前記情報を再生する再生手段と、前記再生手段によって再生された前記情報から、映像を示す映像信号と前記映像信号以外の信号とを振り分ける信号振分手段と、前記信号振分手段によって振り分けられた前記映像信号にコピーを不可とする著作権保護信号が挿入されているか否かを判断する著作権保護信号検出手段と、前記著作権保護信号検出手段が前記映像信号に前記著作権保護信号が挿入されていると判断した場合に、前記デジタルディスクの規格に対応した著作権保護信号であるデジタルコピー不可信号を生成するデジタルコピー不可信号生成手段と、前記デジタルコピー不可信号生成手段によって前記デジタルコピー不可信号が生成された場合に、前記映像信号及び前記映像信号以外の信号を前記デジタルディスクの規格に対応したデータ形式に変換する変換手段と、前記変換手段によって変換された前記映像信号及び前記映像信号以外の信号と、前記デジタルコピー不可信号とを前記デジタルディスクに記録する記録手段と、前記記録手段によって前記デジタルディスクに記録された前記映像信号及び前記映像信号以外の信号が、転送前の前記磁気テープに記録された前記情報と同一の内容として前記デジタルディスクに記録されたか否かを認証する第１の認証手段と、前記第１の認証手段によって、転送前の前記磁気テープに記録された前記情報と同一の内容として前記デジタルディスクに記録されたと認証され、かつ前記著作権保護信号検出手段によって前記著作権保護信号が挿入されていると判断された場合に、前記磁気テープに記録された前記情報を消去する記録信号消去手段とを備える映像信号転送装置が提供される。
【０００８】
また、本発明の映像信号転送装置における前記記録信号消去手段が、前記再生手段によって再生された前記磁気テープに記録された前記情報を、所定の時間間隔の記録部分を除きすべて消去することは、本発明の好ましい態様である。
【０００９】
また、本発明の映像信号転送装置における前記記録信号消去手段によって消去された前記情報が、適切に消去されたか否かを認証する第２の認証手段をさらに備えることは、本発明の好ましい態様である。
【００１０】
また、本発明によれば、磁気テープにアナログ記録された情報を前記磁気テープには前記情報が残ることなく、デジタルディスクに前記情報をすべて転送する映像信号転送装置であって、前記磁気テープに記録された前記情報を前記デジタルディスクに転送するために前記磁気テープから前記情報を再生する再生手段と、前記再生手段によって再生された前記情報から、映像を示す映像信号と前記映像信号以外の信号とを振り分ける信号振分手段と、前記信号振分手段によって振り分けられた前記映像信号にコピーを不可とする著作権保護信号が挿入されているか否かを判断する著作権保護信号検出手段と、前記著作権保護信号検出手段が前記映像信号に前記著作権保護信号が挿入されていると判断した場合に、前記デジタルディスクの規格に対応した著作権保護信号であるデジタルコピー不可信号を生成するデジタルコピー不可信号生成手段と、前記デジタルコピー不可信号生成手段によって前記デジタルコピー不可信号が生成された場合に、前記映像信号及び前記映像信号以外の信号を前記デジタルディスクの規格に対応したデータ形式に変換する変換手段と、前記変換手段によって変換された前記映像信号及び前記映像信号以外の信号と、前記デジタルコピー不可信号とを前記デジタルディスクに記録する記録手段と、前記著作権保護信号検出手段によって前記著作権保護信号が挿入されていると判断され、かつ前記変換手段によって変換された前記映像信号及び前記映像信号以外の信号と、前記デジタルコピー不可信号との前記デジタルディスクへの記録が前記記録手段によって開始された場合に、前記再生手段によって再生された前記磁気テープに前記映像信号転送装置を用いて転送したことが確認可能な所定の情報を重ね書きする重ね書き手段とを備える映像信号転送装置が提供される。
【００１１】
また、本発明の映像信号転送装置における前記重ね書き手段によって重ね書きされた所定の前記情報を認証する第３の認証手段をさらに備えることは、本発明の好ましい態様である。
【００１２】
また、本発明の映像信号転送装置における前記デジタルディスクに、専用の識別情報が付加されたデジタルディスクが用いられ、前記専用の識別情報を検出するための識別情報検出手段をさらに備えることは、本発明の好ましい態様である。
【発明の効果】
【００１３】
本発明の映像信号転送装置は、上記構成を有し、著作権保護を維持しつつ、記録する媒体のみを変換することができる。
【発明を実施するための最良の形態】
【００１４】
＜第１の実施の形態＞
以下、本発明の第１の実施の形態について図１から図５を用いて説明する。図１は本発明の第１の実施の形態に係る映像信号転送装置の構成を示す図である。図２は本発明の第１の実施の形態に係る映像信号転送装置における著作権保護信号検出回路の構成を示す図である。図３は、本発明の第１の実施の形態に係る映像信号転送装置における著作権保護信号検出回路の各構成要素の出力を示す図である。図４は、本発明の第１の実施の形態に係る映像信号転送装置におけるテープ内に記録された記録信号の消去方法について説明するための図である。図５は、本発明の第１の実施の形態に係る映像信号転送装置における処理動作について説明するためのフロー図である。
【００１５】
まず、本発明の第１の実施の形態に係る映像信号転送装置の構成について図１を用いて説明する。図１に示すように、映像信号転送装置１００は、記録信号消去装置（記録信号消去手段、重ね書き手段に相当）１０２を含むアナログテープ再生装置（再生手段に相当）１０１、テープ信号処理回路（信号振分手段に相当）１０３、著作権保護信号検出回路（著作権保護信号検出手段に相当）１０４、ＣＧＭＳ信号生成回路（デジタルコピー不可信号生成手段に相当）１０５、信号処理回路（変換手段に相当）１０６、デジタルディスク記録装置（記録手段に相当）１０７、操作系回路１０８、継続回路（継続手段、第２の認証手段、第３の認証手段に相当）１０９から構成されている。
【００１６】
アナログテープ再生装置１０１は、アナログＶＨＳテープ（以下、単にテープとも言う）から記録された情報を再生するものである。記録信号消去装置１０２は、後述する著作権保護信号検出回路１０４から著作権保護信号の存在、及び後述する操作系回路１０８から後述するデジタルディスク記録装置１０７によってデジタルディスクにアナログＶＨＳテープの記録情報が記録された旨の報告を受けた場合に、アナログテープ再生装置１０１によって再生されたアナログＶＨＳテープに記録された情報を消去する。なお、この例では、アナログテープ再生装置１０１に記録信号消去装置１０２が含まれているが、別々の構成としても構わない。
【００１７】
テープ信号処理回路１０３は、アナログテープ再生装置１０１によって再生された情報から、映像を示す映像信号と前記映像信号以外の信号とを振り分ける。ここで、再生された情報には、映像信号以外に音声信号やテープの走行速度を制御するための制御信号などが含まれている。すなわち、映像信号以外の信号とは音声信号や制御信号などを言う。アナログテープ再生装置１０１及びテープ信号処理回路１０３は、従来のＶＨＳビデオデッキ装置の機能に等しい。テープ信号処理回路１０３は、著作権保護信号検出回路１０４へ映像信号を引き渡す一方、信号処理回路１０６へ映像信号及び映像信号以外の信号を引き渡す。著作権保護信号検出回路１０４は、テープ信号処理回路１０３によって振り分けられた映像信号にコピー不可とする著作権保護信号（以下、マクロビジョン信号とも言う）が挿入されているか否かを判断する。ここで、マクロビジョン信号が挿入されているか否かの判断について図２及び図３を用いて説明する。
【００１８】
図２に示すように、著作権保護信号検出回路１０４は、クランプ回路２００、同期信号分離部２０１、マクロビジョン信号検出部２０２、基準同期信号生成部２０３から構成されている。なお、この構成は一例であって、これに限られるものではない。クランプ回路２００は映像信号を安定させて出力する。この出力が図３の（ａ）に示されている。図３（ａ）に示されているように、映像信号は垂直ブランキング区間と映像区間とに分けられている。垂直ブランキング区間にマクロビジョン信号が挿入されている。同期信号分離部２０１は、クランプ回路２００の出力の同期信号であるシンク部分を取り出して出力する。この出力が図３の（ｂ）に示されている。マクロビジョン信号検出部２０２は、図３の（ｃ）に示されている基準同期信号生成部２０３からの基準同期信号と図３の（ｂ）に示されている同期信号分離部２０１の出力とに基づいてマクロビジョン信号部分を出力する。この出力が図３の（ｄ）に示されている。このようにして、マクロビジョン信号の有無を判断する。
【００１９】
ＣＧＭＳ信号生成回路１０５は、著作権保護信号検出回路１０４が記録信号にマクロビジョン信号が挿入されていると判断した場合に、デジタルディスクの規格に対応した著作権保護信号であるデジタルコピー不可信号を生成する。なぜ、このように新たなデジタルコピー不可信号を生成しなければならないかを説明する。よく知られたように、通常のデジタルディスクレコーダでは、アナログ映像信号入力をＭＰＥＧ２方式によって圧縮してデータストリームとしてディスクに記録する。ＭＰＥＧは圧縮方式の一例であって、他の圧縮方式であってもよい。入力のアナログＮＴＳＣ信号は水平同期信号が５２５本／フレームあるが、ＭＰＥＧ圧縮では垂直ブランキング区間の映像に直接関係しない区間は伝送しない。一般に４８０本分のみ圧縮処理を行う。
【００２０】
図３（ａ）でも述べたように、マクロビジョン信号はこの伝送されない区間に挿入されている。よって、同信号もディスクに記録されない。その代わりとして、ＣＧＭＳ（Copy Generation Management System）−Ｄ信号というデータを用いる。これは、２ビットで構成され、００＝コピーフリー、１１＝コピー禁止を示す。ＤＶＤなどのデジタルディスクの規格では必ずＣＧＭＳ−Ｄ信号を記録しなければならない。テープに記録された内容と同様の内容が記録された記録済み映画ディスクでは、ＣＧＭＳ−Ｄ信号を読み出し、マクロビジョン信号を再び生成し、出力する映像信号に挿入後、機器から出力される。このような方法で、映像信号の中ではなく、別信号の形で著作権保護機能は図られている。よって、本発明の第１の実施の形態においてもＣＧＭＳ−Ｄ信号であるデジタルコピー不可信号を生成している。
【００２１】
信号処理回路１０６は、ＣＧＭＳ信号生成回路１０５によってデジタルコピー不可信号が生成され入力された場合に、テープ信号処理回路１０３から入力された映像信号及び映像信号以外の信号をデジタルディスクの規格に対応したデータ形式に変換する。このデータ形式とは、既存の記録済みのディスクと同様のＣＧＭＳデータ形式を言う。デジタルディスク記録装置１０７は、信号処理回路１０６によって変換された映像信号及び映像信号以外の信号と、デジタルコピー不可信号とをデジタルディスクに記録する。これにより、元映像がＶＨＳ出力であることを除けば、市販される記録済みのデジタルディスクと同様のデジタルディスクが完成する。
【００２２】
記録信号消去装置１０２は、著作権保護信号検出回路１０４からマクロビジョン信号が存在することを示す信号、及び操作系回路１０８から信号処理回路１０６によって変換された映像信号及び映像信号以外の信号と、デジタルコピー不可信号との記録をデジタルディスクにデジタルディスク記録装置１０７が開始したことを示す信号がＡＮＤゲート１１０に入力された場合に、アナログテープ再生装置１０１によって再生されたアナログＶＨＳテープに記録された情報を消去する。すなわち、ＡＮＤゲート１１０は、著作権保護信号検出回路１０４からマクロビジョン信号が存在することを示す信号及び操作系回路１０８からデジタルディスクへ記録が開始されたことを示す信号が入力されることにより、オン状態になり記録信号消去装置１０２へアナログＶＨＳテープに記録された情報を消去するよう指示するための制御信号を送る。なお、ＡＮＤゲート１１０への信号の入力は、操作系回路１０８による入力ではなく、信号処理回路１０６による記録が開始されたことを示す信号の入力であってもよい。
【００２３】
ここで、テープ内に記録された映像信号の消去方法の一例について図４を用いて説明する。図４（ａ）は、アナログテープ再生装置１０１のドライブの模式図を示している。テープカセット４００がアナログテープ再生装置１０１に装填されると、矢印４０１の方向へテープ４０２が動く。テープ全幅消去ヘッド４０３は、記録時にテープ４０２上の全てのデータを消し、再生時には動作しないものである。読み取りヘッド４０４は、音声信号読み取りヘッド４０５、テープ走行用コントロールパネル読み取りヘッド４０６、消去ヘッド４０７を含むものである。音声信号読み取りヘッド４０５は音声信号４０８を読み取るものであり、テープ走行用コントロールパネル読み取りヘッド４０６は同じ速度でテープ４０２が流れていることを示すトラッキング信号４０９を読み取るものである。音声信号読み取りヘッド４０５及びテープ走行用コントロールパネル読み取りヘッド４０６が読み取る信号は、図４（ｂ）に示すように、テープ４０２の上側に音声信号４０８、下側にトラッキング信号４０９が位置している。
【００２４】
消去ヘッド４０７は、音声信号読み取りヘッド４０５とテープ走行用コントロールパネル読み取りヘッド４０６との間に位置し、再生時に動作する。なお、消去ヘッド４０７の機能は、上述したテープ全幅消去ヘッド４０３と同様である。また、消去ヘッド４０７の位置は、ドラム４１０によってテープに記録された信号が再生された後であって、かつ音声信号読み取りヘッド４０５及びテープ走行用コントロールパネル読み取りヘッド４０６の後であればどこに配置されても構わない。また、消去ヘッド４０７は、全ての映像信号を消去する必要はなく、一部を消去できればよい。信号に連続性が無くなり再生が不可能になるからである。また、消去ヘッド４０７は、業務用ビデオ機器のようにドラム４１０上にフライングレースヘッドとして設けてもよい。
【００２５】
継続回路１０９は、信号処理回路１０６によって変換された映像信号及び映像信号以外の信号と、デジタルコピー不可信号とのデジタルディスク記録装置１０７によるデジタルディスクへの記録と、アナログテープ再生装置１０１によって再生されたアナログＶＨＳテープに記録された情報の記録信号消去装置１０２による消去とが完了するまで転送の処理を継続させる。これにより、外部からのアクセスによらずアナログＶＨＳテープに記録された情報を全て始めから終わりまで途切れることなくデジタルディスクへ転送することができる。
【００２６】
次に、本発明の第１の実施の形態に係る映像信号転送装置の処理動作について図５を用いて説明する。図５に示すように、アナログテープ再生装置１０１は、アナログＶＨＳテープに記録された情報をデジタルディスクに転送するためにアナログＶＨＳテープから情報を再生する（ステップＳ５０１）。テープ信号処理回路１０３は、アナログテープ再生装置１０１によって再生された情報から、映像を示す映像信号と映像信号以外の信号とを振り分ける（ステップＳ５０２）。このとき、テープ信号処理回路１０３は、著作権保護信号検出回路１０４へ映像信号を引き渡し、信号処理回路１０６へ映像信号及び映像信号以外の信号を引き渡す。著作権保護信号検出回路１０４は、テープ信号処理回路１０３によって振り分けられた映像信号にコピー不可とする著作権保護信号が挿入されているか否かを判断する（ステップＳ５０３）。ＣＧＭＳ信号生成回路１０５は、著作権保護信号検出回路１０４が映像信号に著作権保護信号が挿入されていることを判断した場合に、デジタルディスクの規格に対応した著作権保護信号であるデジタルコピー不可信号を生成する（ステップＳ５０４）。
【００２７】
信号処理回路１０６は、ＣＧＭＳ信号生成回路１０５によってデジタルコピー不可信号が生成された場合に、テープ信号処理回路１０３によって引き渡された映像信号及び映像信号以外の信号をデジタルディスクの規格に対応したデータ形式に変換する（ステップＳ５０５）。デジタルディスク記録装置１０７は、信号処理回路１０６によって変換された映像信号及び映像信号以外の信号と、デジタルコピー不可信号とをデジタルディスクに記録する（ステップＳ５０６）。記録信号消去装置１０２は、著作権保護信号検出回路１０４によって著作権保護信号が存在すると判断され、かつ信号処理回路１０６によって変換された映像信号及び映像信号以外の信号と、デジタルコピー不可信号とをデジタルディスクにデジタルディスク記録装置１０７によって記録が開始された場合に、アナログテープ再生装置１０１によって再生されたアナログＶＨＳテープに記録された情報を消去する（ステップＳ５０７）。
【００２８】
＜第２の実施の形態＞
次に、本発明の第２の実施の形態について図６から図９を用いて説明する。図６は本発明の第２の実施の形態に係る映像信号転送装置の構成を示す図である。図７は本発明の第２の実施の形態に係る映像信号転送装置の特定時系列パターン発生回路における信号の出力例を示す図である。図８は本発明の第２の実施の形態に係る映像信号転送装置におけるアナログＶＨＳテープに記録された情報が正しく消去されたか否かを説明するための図である。図９は本発明の第２の実施の形態に係る映像信号転送装置の処理動作について説明するためのフロー図である。
【００２９】
まず、本発明の第２の実施の形態に係る映像信号転送装置の構成について図６を用いて説明する。図６に示すように、映像信号転送装置６００において、特定時系列パターン発生回路６０１、ＡＮＤゲート６０２、平滑回路６０３、コンパレータ６０４、基準電位６０５、遅延回路６０６、論理回路６０７以外は、上述した第１の実施の形態に係る映像信号転送装置と同様の構成であるため、同様の部分については説明を省略する。本発明の第２の実施の形態に係る映像信号転送装置６００は、第１の実施の形態に係る映像信号転送装置１００のように、アナログＶＨＳテープに記録された情報の消去を全時間にわたって行うものではなく、アナログＶＨＳテープに記録された情報を特定の時間間隔で消去するものである。また、本発明の第２の実施の形態に係る映像信号転送装置６００は、アナログＶＨＳテープに記録された情報が正しく消去されたか否かを認証するものである。
【００３０】
特定時系列パターン発生回路６０１は、特定の時系列パターンの信号を発生させ、出力するものである。特定時系列パターン発生回路６０１における出力例を図７に示す。図７に示すように、特定時系列パターン発生回路６０１は、例えば５秒間隔で論理Ｈ及びＬを繰り返して出力する。ＡＮＤゲート６０２は、特定時系列パターン発生回路６０１の出力及びＡＮＤゲート１１０の出力が入力されることにより、アナログテープに記録された情報を消去するよう指示するための制御信号を記録信号消去装置１０２へ出力する。この制御信号を受けることにより、記録信号消去装置１０２では、例えば５秒間隔でアナログＶＨＳテープに記録された情報が消去される。テレビ画面などの表示部では、５秒間隔で画面にノイズが発生することになり、全映像の消去をしなくても、アナログＶＨＳテープのソフトとしての再利用は不可能になる。
【００３１】
次に、アナログＶＨＳテープに記録された情報が正しく消去されたか否かを認証する処理について説明する。この認証の処理は上述した平滑回路６０３、コンパレータ６０４、基準電位６０５、遅延回路６０６、論理回路６０７が行う。転送後のアナログＶＨＳテープをアナログテープ再生装置１０１に再生させることにより、平滑回路６０３は、テープ信号処理回路１０３から再生ＦＭ信号を取り出す。取り出された再生ＦＭ信号の波形を図８（ａ）に示す。正しく消去がされていれば、再生ＦＭ信号の波形は、例えば５秒おきに消去されていない区間と消去された区間とが現れる。しかし、正しく消去されなかった区間があると再生信号が残ってしまう。平滑回路６０３は、図８（ａ）に示す再生ＦＭ信号の波形の高周波成分を除去する。除去された再生ＦＭ信号を図８（ｂ）に示す。
【００３２】
コンパレータ６０４は、基準電位６０５と図８（ｂ）に示す波形との比較を行い、論理出力を得る。その論理出力を図８（ｃ）に示す。すなわち、再生信号の残る区間は消去されていない区間であって、Ｈとなる。一方、再生信号が残っていない区間は消去された区間であって、Ｌとなる。遅延回路６０６は、図８（ｃ）の波形を、例えば５秒遅延させて出力する。この遅延された波形を図８（ｄ）に示す。論理回路６０７は、コンパレータ６０４からの出力及び遅延回路６０６からの出力と、あらかじめ論理回路６０７に格納された論理演算テーブルとに基づいて、波形を出力する。出力された波形を図８（ｅ）に示す。この図８（ｅ）の波形は、図８（ｆ）の論理演算テーブルに基づいて出力されている。論理演算テーブルは、図８（ｃ）及び図８（ｄ）からの入力がそれぞれＨである場合にのみ出力はＬとなり、それ以外はＨとなるものである。
【００３３】
上述のように、正しく消去されたアナログＶＨＳテープであれば、ＨとＬとが逆となった論理値で、論理回路６０７は、常時Ｈを出力する。一方、正しく消去されていないアナログＶＨＳテープであれば、Ｈ／Ｈとなる区間が生じ、論理回路６０７はＬを出力する。このＬの有無を検出することにより、正しく消去されたか否かを簡単、かつ一意的に認証することができる。
【００３４】
次に、本発明の第２の実施の形態に係る映像信号転送装置の処理動作について図９を用いて説明する。アナログテープ再生装置１０１は、アナログＶＨＳテープに記録された情報をデジタルディスクに転送するためにアナログＶＨＳテープから情報を再生する（ステップＳ９０１）。テープ信号処理回路１０３は、アナログテープ再生装置１０１によって再生された情報から、映像を示す映像信号と映像信号以外の信号とを振り分ける（ステップＳ９０２）。このとき、テープ信号処理回路１０３は、著作権保護信号検出回路１０４へ映像信号を引き渡し、信号処理回路１０６へ映像信号及び映像信号以外の信号を引き渡す。著作権保護信号検出回路１０４は、テープ信号処理回路１０３によって振り分けられた映像信号にコピー不可とする著作権保護信号が挿入されているか否かを判断する（ステップＳ９０３）。ＣＧＭＳ信号生成回路１０５は、著作権保護信号検出回路１０４が映像信号に著作権保護信号が挿入されていることを判断した場合に、デジタルディスクの規格に対応した著作権保護信号であるデジタルコピー不可信号を生成する（ステップＳ９０４）。
【００３５】
信号処理回路１０６は、ＣＧＭＳ信号生成回路１０５によってデジタルコピー不可信号が生成された場合に、テープ信号処理回路１０３によって引き渡された映像信号及び映像信号以外の信号をデジタルディスクの規格に対応したデータ形式に変換する（ステップＳ９０５）。デジタルディスク記録装置１０７は、信号処理回路１０６によって変換された映像信号及び映像信号以外の信号と、デジタルコピー不可信号とをデジタルディスクに記録する（ステップＳ９０６）。記録信号消去装置１０２は、著作権保護信号検出回路１０４によって著作権保護信号が存在すると判断され、かつ信号処理回路１０６によって変換された映像信号及び映像信号以外の信号と、デジタルコピー不可信号とをデジタルディスクにデジタルディスク記録装置１０７によって記録が開始され、あらかじめ設定された時間間隔の信号を特定時系列パターン発生回路６０１から受けた場合に、アナログテープ再生装置１０１によって再生されたアナログＶＨＳテープに記録された情報を消去する（ステップＳ９０７）。転送後のアナログＶＨＳテープをアナログテープ再生装置１０１に再生させることにより、継続回路１０９は、論理回路６０７からの出力結果に基づいて、正しく消去されたか否かを判断する（ステップＳ９０８）。正しく消去されなかった場合には、継続回路１０９は、映像信号転送装置６００を停止させる（ステップＳ９０９）。この場合、ブザーを鳴らすなどによりユーザに異常を知らせるようにしてもよい。正しく消去されていた場合には、処理を終了する。
【００３６】
＜第３の実施の形態＞
次に、本発明の第３の実施の形態について図１０から図１２を用いて説明する。図１０は本発明の第３の実施の形態に係る映像信号転送装置の構成を示す図である。図１１は本発明の第３の実施の形態に係る映像信号転送装置における転送後のデジタルディスクに正しく信号が記録されているか否かを説明するための図である。図１２は本発明の第３の実施の形態に係る映像信号転送装置の処理動作について説明するためのフロー図である。
【００３７】
まず、本発明の第３の実施の形態に係る映像信号転送装置の構成について図１０を用いて説明する。図１０に示すように、映像信号転送装置１０００において、デジタルディスク再生装置１００１、光ピックアップ１００２、プリアンプ１００３、イコライザ１００４、復調器１００５、誤り訂正回路１００６、映像信号再生復号回路１００７、平滑回路１００８、基準電位１００９、コンパレータ１０１０、検出回路（第１の認証手段に相当）１０１１、認証回路１０１２以外は、上述した第１の実施の形態に係る映像信号転送装置と同様の構成であるため、同様の部分については説明を省略する。
【００３８】
本発明の第３の実施の形態に係る映像信号転送装置１０００は、アナログＶＨＳテープに記録された情報を確実にデジタルディスクへ転送させるため、デジタルディスク再生装置１００１及び認証回路１０１２を付加することにより、デジタルディスクに正しく信号が記録されたか否か記録後に認証するものである。正しく記録されていない場合には、映像信号転送装置１０００は、アナログＶＨＳテープに記録された情報を再度デジタルディスクへ転送し、転送が完了した後にアナログＶＨＳテープに記録された情報を消去するものである。
【００３９】
光ピックアップ１００２は、アナログＶＨＳテープに記録された情報が転送された不図示のデジタルディスク内の信号を読み取る。プリアンプ１００３は、読み取られた信号を増幅する。増幅された信号は、イコライザ１００４、復調器１００５、誤り訂正回路１００６を経て、映像信号再生復号回路１００７へ渡される。映像信号再生復号回路１００７は、受け取った信号を再生信号処理することで映像と音声を連続して復号出力する。なお、光ピックアップ１００２、プリアンプ１００３、イコライザ１００４、復調器１００５、誤り訂正回路１００６、映像信号再生復号回路１００７に関しては、従来の光ディスク再生装置と共通するものであり、広く知られているものであるため、詳しい説明は省略する。
【００４０】
上述したように、デジタルディスクが再生されると、図１０の点Ｘで信号が分岐して平滑回路１００８へも入力される。入力される信号の波形を図１１（ａ）に示す。図１１（ａ）に示すように、正しく記録されていない場合には信号の波形がない区間が生じる。平滑回路１００８は、入力された信号のレベルを直流に変換し、出力する。変換された波形を図１１（ｂ）に示す。コンパレータ１０１０は、平滑回路１００８からの出力と基準電位１００９とを比較し、比較した結果を出力する。出力された波形を図１１（ｃ）に示す。正しく記録されている区間は、図１１（ｂ）に示すように基準電位よりも大きくなり、コンパレータ１０１０の出力はＨを示す。一方、正しく記録されていない区間は、図１１（ｂ）に示すように基準電位よりも小さくなり、コンパレータ１０１０の出力はＬを示す。検出回路１０１１は、このＬの有無を検出することにより、デジタルディスクに正しく記録されたか否かを認証することができる。正しく記録されたと認証できた場合には、検出回路１０１１は、ＡＮＤゲート１１０にその旨の信号を出力し、正しく記録されていなかったと認証した場合には、再度、アナログＶＨＳテープに記録された情報をデジタルディスクに転送させる旨の信号をアナログテープ再生装置１０１へ出力する。なお、同様の波形が得られれば、点Ｘはデジタルディスク再生装置１００１内のどの処理工程に設けてもよい。
【００４１】
次に、本発明の第３の実施の形態に係る映像信号転送装置の処理動作について図１２を用いて説明する。図１２に示すように、アナログテープ再生装置１０１は、アナログＶＨＳテープに記録された情報をデジタルディスクに転送するためにアナログＶＨＳテープから情報を再生する（ステップＳ１２０１）。テープ信号処理回路１０３は、アナログテープ再生装置１０１によって再生された情報から、映像を示す映像信号と映像信号以外の信号とを振り分ける（ステップＳ１２０２）。このとき、テープ信号処理回路１０３は、著作権保護信号検出回路１０４へ映像信号を引き渡し、信号処理回路１０６へ映像信号及び映像信号以外の信号を引き渡す。著作権保護信号検出回路１０４は、テープ信号処理回路１０３によって振り分けられた映像信号にコピー不可とする著作権保護信号が挿入されているか否かを判断する（ステップＳ１２０３）。ＣＧＭＳ信号生成回路１０５は、著作権保護信号検出回路１０４が映像信号に著作権保護信号が挿入されていることを判断した場合に、デジタルディスクの規格に対応した著作権保護信号であるデジタルコピー不可信号を生成する（ステップＳ１２０４）。
【００４２】
信号処理回路１０６は、ＣＧＭＳ信号生成回路１０５によってデジタルコピー不可信号が生成された場合に、テープ信号処理回路１０３によって引き渡された映像信号及び映像信号以外の信号をデジタルディスクの規格に対応したデータ形式に変換する（ステップＳ１２０５）。デジタルディスク記録装置１０７は、信号処理回路１０６によって変換された映像信号及び映像信号以外の信号と、デジタルコピー不可信号とをデジタルディスクに記録する（ステップＳ１２０６）。デジタルディスクへ情報の転送が完了した後、デジタルディスク再生装置１００１によって転送完了後のデジタルディスクが再生されることにより、検出回路１０１１は、正しくデジタルディスクに情報が記録されたか否かを判断する（ステップＳ１２０７）。
【００４３】
記録信号消去装置１０２は、正しくデジタルディスクに情報が記録されたと判断され、かつ著作権保護信号検出回路１０４によって著作権保護信号が存在すると判断された場合に、アナログテープ再生装置１０１によって再生されたアナログＶＨＳテープに記録された情報を消去する（ステップＳ１２０８）。一方、正しくデジタルディスクに情報が記録されていなかったと判断された場合には、再度、ステップＳ１２０１から実行されることになる。なお、第２の実施の形態に係る映像信号転送装置における特定の時間間隔でアナログＶＨＳテープに記録された情報を消去する処理や、アナログＶＨＳテープに記録された情報が正しく消去されたか否かを認証する処理を、第３の実施の形態に係る映像信号転送装置に加えても実施可能である。
【００４４】
＜第４の実施の形態＞
次に、本発明の第４の実施の形態について図１３から図１５を用いて説明する。図１３は本発明の第４の実施の形態に係る映像信号転送装置におけるテープ信号処理回路の構成を示す図である。図１４は本発明の第４の実施の形態に係る映像信号転送装置における第１の音声信号再生回路の出力波形、第２の音声信号再生回路の出力波形、及び認証出力を示す図である。図１５は本発明の第４の実施の形態に係る映像信号転送装置の処理動作について説明するためのフロー図である。
【００４５】
まず、本発明の第４の実施の形態に係る映像信号転送装置におけるテープ信号処理回路の構成について図１３を用いて説明する。図１３に示すように、テープ信号処理回路１０３は、音声信号記録回路１３００、第１の音声信号再生回路１３０１、第２の音声信号再生回路１３０２、遅延回路１３０３、加算器１３０４から構成されている。本発明の第４の実施の形態に係る映像信号転送装置は、第２の実施の形態に係る映像信号転送装置６００のように、アナログＶＨＳテープに記録された情報を消去する際に、一般的な消去の方法として知られる無信号の重ね書きによりアナログＶＨＳテープに記録された情報を無効にするものと違い、有意な信号、例えば音声信号の重ね書きによって、アナログＶＨＳテープに記録された情報を無効にするものである。また、本発明の第４の実施の形態に係る映像信号転送装置は、アナログＶＨＳテープへの重ね書きが正しくされたか否かの認証を行う。
【００４６】
詳しく説明すると、本発明の第４の実施の形態に係る映像信号転送装置は、上述した図４（ａ）の音声信号読み取りヘッド４０５と同一の部品が消去ヘッド４０７にも用いられる。音声信号読み取りヘッド４０５で読み取られ、デジタルディスクに転送して記録される音声信号が第１の音声信号再生回路１３０１を介して分岐され、音声信号記録回路１３００を経て消去ヘッド４０７によりアナログＶＨＳテープに音声信号が上書きされ、記録された情報は無効となる。図１３に示すように、アナログテープ再生装置１０１から、ドラム４１０上の不図示の映像ヘッドやハイファイ音声ヘッド、音声信号読み取りヘッド４０５、テープ走行用コントロールパネル読み取りヘッド４０６の信号がテープ信号処理回路１０３へ伝送されている。これらの信号のうち、音声信号読み取りヘッド４０５からの音声信号が第１の音声信号再生回路１３０１によって再生処理され、ＶＨＳビデオレコーダに広く用いられている音声信号記録回路１３００を介して消去ヘッド４０７によりアナログＶＨＳテープへ記録される。
【００４７】
次に、アナログＶＨＳテープへの重ね書きが正しくされたか否かの認証について図１３を用いて説明する。音声信号読み取りヘッド４０５からの出力は、上述したように第１の音声信号再生回路１３０１へ入力され、消去ヘッド４０７からの出力は、第２の音声信号再生回路１３０２へ入力される。ここで、第１の音声信号再生回路１３０１及び第２の音声信号再生回路１３０２の出力波形を図１４に示す。図１４に示すように、両者の間には遅延が生じている。この遅延は、記録時に音声信号記録回路１３００を経ているためであり、第１の音声信号再生回路１３０１に比べて遅延が生ずる。
【００４８】
第１の音声信号再生回路１３０１に入力される信号に対して、音声信号記録回路１３００を経る時間に相当する遅延を加えることにより、第１の音声信号再生回路１３０１及び第２の音声信号再生回路１３０２における信号は遅延を解消して同一となり、その結果、差をとった認証出力は理論的にゼロになる。一方、正しく重ね書きされていない場合には、元からの映像信号が残っている。この映像信号を音声信号読み取りヘッド４０５で再生しても、記録トラック角度の違い、アジマス（ヘッドとテープとの相対角度）の違い、信号周波数帯域の違いなどから再生信号は出力されない。結果として、出力はゼロにならない。このようにして、正しく重ね書きされたか否かを簡単、かつ一意的に認証することができる。
【００４９】
次に、本発明の第４の実施の形態に係る映像信号転送装置の処理動作について図１５を用いて説明する。図１５に示すように、アナログテープ再生装置１０１は、アナログＶＨＳテープに記録された情報をデジタルディスクに転送するためにアナログＶＨＳテープから情報を再生する（ステップＳ１５０１）。テープ信号処理回路１０３は、アナログテープ再生装置１０１によって再生される情報から、映像を示す映像信号と映像信号以外の信号とを振り分ける（ステップＳ１５０２）。このとき、テープ信号処理回路１０３は、著作権保護信号検出回路１０４へ映像信号を引き渡し、信号処理回路１０６へ映像信号及び映像信号以外の信号を引き渡す。著作権保護信号検出回路１０４は、テープ信号処理回路１０３によって振り分けられた映像信号にコピー不可とする著作権保護信号が挿入されているか否かを判断する（ステップＳ１５０３）。ＣＧＭＳ信号生成回路１０５は、著作権保護信号検出回路１０４が映像信号に著作権保護信号が挿入されていることを判断した場合に、デジタルディスクの規格に対応した著作権保護信号であるデジタルコピー不可信号を生成する（ステップＳ１５０４）。
【００５０】
信号処理回路１０６は、ＣＧＭＳ信号生成回路１０５によってデジタルコピー不可信号が生成された場合に、テープ信号処理回路１０３によって引き渡された映像信号及び映像信号以外の信号をデジタルディスクの規格に対応したデータ形式に変換する（ステップＳ１５０５）。デジタルディスク記録装置１０７は、信号処理回路１０６によって変換された映像信号及び映像信号以外の信号と、デジタルコピー不可信号とをデジタルディスクに記録する（ステップＳ１５０６）。記録信号消去装置１０２は、著作権保護信号検出回路１０４によって著作権保護信号が存在すると判断され、かつ信号処理回路１０６によって変換された映像信号及び映像信号以外の信号と、デジタルコピー不可信号とをデジタルディスクにデジタルディスク記録装置１０７によって記録が開始された場合に、アナログＶＨＳテープに音声信号を重ね書きする（ステップＳ１５０７）。
【００５１】
継続回路１０９は、アナログＶＨＳテープに音声信号が正しく重ね書きされたか否かを判断する（ステップＳ１５０８）。正しく重ね書きされなかった場合には、継続回路１０９は、映像信号転送装置を停止させる（ステップＳ１５０９）。この場合、ブザーを鳴らすなどによりユーザに異常を知らせるようにしてもよい。正しく消去された場合には、処理を終了する。なお、上述した第２の実施の形態のように、所定の時間間隔で音声信号を重ね書きするようにしてもよい。また、第２の実施の形態及び第４の実施の形態において、所定の時間間隔で消去したり、重ね書きする場合に、所定の時間間隔は映像信号転送装置ごとに違うようにしてもよい。これにより、どの映像信号転送装置によって消去され、又は重ね書きされたか特定することができる。
【００５２】
ここで、上述した第１の実施の形態から第４の実施の形態におけるデジタルディスクをあらかじめ決められた専用ディスクとしてもよい。記録型デジタルディスクのフォーマットは、規格書によって厳しく定義されているが、実際の商品では何らかの不良品が混ざる可能性もある。不良品の主なものとしては、例えば、デジタルディスク表面が平坦ではない、レーザ光が通るデジタルディスク保護層内に大きな気泡があるなどである。このような不良品に対して、記録をしようとしても正しく記録することができない。そこで、あらかじめ品質の保証されたデジタルディスクに専用のＩＤを付加する。これにより、デジタルディスクの品質が保証されるため、正しく記録することができる。映像信号転送装置は、付加されたＩＤを検出する検出機能を設けることにより、ＩＤを正しく検出した場合にのみ記録を行うようにしてもよい。
【００５３】
以下では、専用のＩＤが付加されたデジタルディスクについて図１６を用いて説明する。図１６（ａ）に示すように、デジタルディスク１６００の中央の穴１６０１の周囲の基板面１６０２上に、同心円状に薄い板１６０３が貼られる。この薄い板１６０３がＩＤとなる。この薄い板１６０３は、金属製で、放射状に凹凸の刻み１６０４がある。その凹凸の刻み１６０４の様子を図１６（ｂ）に示す。その断面は、山型の形状となっており、この形状がＩＤを示す。このＩＤを検出するための検出機能は、例えば発光素子及び受光素子である。検出の様子について図１７を用いて説明する。
【００５４】
図１７（ａ）に示すように、発光素子１７００はデジタルディスク１７０１に対して発光することにより、受光素子（識別情報検出手段に相当）１７０２はデジタルディスク１７０１が回転中も放射状の凹凸から光を受光することができる。ＩＤがある場合、山型の形状が光反射板となり、高い受光素子出力レベルが得られる。その様子を図１７（ｂ）に示す。一方、ＩＤのない場合には受光素子１７０２は受光することができず、受光素子出力はゼロとなる。この様子を図１７（ｃ）に示す。このように、受光素子出力の値によって、簡単、かつ一意的にＩＤの有無を検出することができる。また、ＩＤの凹凸の刻み１６０４を回転方向に特定パターンで間欠的に設けることで、検出時の受光素子出力に大小の特定パターンをつくり、ＩＤとしてもよい。また、ＩＤは物理的な方式に限らない。すなわち、デジタルディスク内に、特定の信号をＩＤとしてあらかじめ書き込んでおき、デジタルディスク挿入時に、映像信号転送装置がその信号を強制的に読み込むことにより、検出するようにしてもよい。なお、発光素子１７００及び受光素子１７０２の配置は、発光素子１７００から発光された光が凹凸の刻み１６０４の山型の形状からの反射光として受光素子１７０２に受光されるように配置されるものとする。
【産業上の利用可能性】
【００５５】
本発明に係る映像信号転送装置は、著作権保護を維持しつつ、記録する媒体のみを変換することができるため、記録済み媒体に記録された情報を別媒体に転送する映像信号転送装置などに有用である。
【図面の簡単な説明】
【００５６】
【図１】本発明の第１の実施の形態に係る映像信号転送装置の構成を示す図である。
【図２】本発明の第１の実施の形態に係る映像信号転送装置における著作権保護信号検出回路の構成を示す図である。
【図３】本発明の第１の実施の形態に係る映像信号転送装置における著作権保護信号検出回路の各構成要素の出力を示す図である。    （ａ）クランプ回路の出力を示す図である。    （ｂ）同期信号分離部の出力を示す図である。    （ｃ）基準同期信号生成部の出力を示す図である。    （ｄ）マクロビジョン信号検出部の出力を示す図である。
【図４】本発明の第１の実施の形態に係る映像信号転送装置におけるテープ内に記録された記録信号の消去方法について説明するための図である。    （ａ）アナログテープ再生装置のドライブの模式図を示す図である。    （ｂ）アナログＶＨＳテープ上の各信号を示す図である。
【図５】本発明の第１の実施の形態に係る映像信号転送装置における処理動作について説明するためのフロー図である。
【図６】本発明の第２の実施の形態に係る映像信号転送装置の構成を示す図である。
【図７】本発明の第２の実施の形態に係る映像信号転送装置の特定時系列パターン発生回路における信号の出力例を示す図である。
【図８】本発明の第２の実施の形態に係る映像信号転送装置におけるアナログＶＨＳテープに記録された情報が正しく消去されたか否かを説明するための図である。    （ａ）再生ＦＭ信号の波形を示す図である。    （ｂ）再生ＦＭ信号の波形の高周波成分を除去した図である。    （ｃ）論理出力を示す図である。    （ｄ）遅延された波形を示す図である。    （ｅ）論理演算テーブルに基づく出力を示す図である。    （ｆ）論理演算テーブルを示す図である。
【図９】本発明の第２の実施の形態に係る映像信号転送装置の処理動作について説明するためのフロー図である。
【図１０】本発明の第３の実施の形態に係る映像信号転送装置の構成を示す図である。
【図１１】本発明の第３の実施の形態に係る映像信号転送装置における転送後のデジタルディスクに正しく信号が記録されているか否かを説明するための図である。    （ａ）平滑回路へ入力される信号の波形を示す図である。    （ｂ）入力された信号のレベルを直流に変換したものを示す図である。    （ｃ）平滑回路からの出力と基準電位とを比較し、その結果の出力を示す図である。
【図１２】本発明の第３の実施の形態に係る映像信号転送装置の処理動作について説明するためのフロー図である。
【図１３】本発明の第４の実施の形態に係る映像信号転送装置におけるテープ信号処理回路の構成を示す図である。
【図１４】本発明の第４の実施の形態に係る映像信号転送装置における第１の音声信号再生回路の出力波形、第２の音声信号再生回路の出力波形、及び認証出力を示す図である。
【図１５】本発明の第４の実施の形態に係る映像信号転送装置の処理動作について説明するためのフロー図である。
【図１６】専用のＩＤが付加されたデジタルディスクについて説明するための図である。    （ａ）同心円状に薄い板が貼られたデジタルディスクを示す図である。    （ｂ）薄い板の凹凸の刻みを示す図である。
【図１７】ＩＤの検出方法について説明するための図である。    （ａ）ＩＤの検出のしくみを示す図である。    （ｂ）ＩＤがある場合の検出について説明するための図である。    （ｃ）ＩＤがない場合の検出について説明するための図である。
【符号の説明】
【００５７】
１００、６００、１０００  映像信号転送装置
１０１  アナログテープ再生装置（再生手段）
１０２  記録信号消去装置（記録信号消去手段、重ね書き手段）
１０３  テープ信号処理回路（信号振分手段）
１０４  著作権保護信号検出回路（著作権保護信号検出手段）
１０５  ＣＧＭＳ信号生成回路（デジタルコピー不可信号生成手段）
１０６  信号処理回路（変換手段）
１０７  デジタルディスク記録装置（記録手段）
１０８  操作系回路
１０９  継続回路（継続手段、第２の認証手段、第３の認証手段）
１１０、６０２  ＡＮＤゲート
２００  クランプ回路
２０１  同期信号分離部
２０２  マクロビジョン信号検出部
２０３  基準同期信号生成部
４００  テープカセット
４０１  矢印
４０２  テープ（アナログＶＨＳテープ）
４０３  テープ全幅消去ヘッド
４０４  読み取りヘッド
４０５  音声信号読み取りヘッド
４０６  テープ走行用コントロールパネル読み取りヘッド
４０７  消去ヘッド
４０８  音声信号
４０９  トラッキング信号
４１０  ドラム
６０１  特定時系列パターン発生回路
６０３、１００８  平滑回路
６０４、１０１０  コンパレータ
６０５、１００９  基準電位
６０６、１３０３  遅延回路
６０７  論理回路
１００１  デジタルディスク再生装置
１００２  光ピックアップ
１００３  プリアンプ
１００４  イコライザ
１００５  復調器
１００６  誤り訂正回路
１００７  映像信号再生復号回路
１０１１  検出回路（第１の認証手段）
１０１２  認証回路
１３００  音声信号記録回路
１３０１  第１の音声信号再生回路
１３０２  第２の音声信号再生回路
１３０４  加算器
１６００、１７０１  デジタルディスク
１６０１  中央の穴
１６０２  基板面
１６０３  薄い板
１６０４  凹凸の刻み
１７００  発光素子
１７０２  受光素子（識別情報検出手段）
【図１】
2005198234.tif 000003
【図２】
2005198234.tif 000004
【図３】
2005198234.tif 000005
【図４】
2005198234.tif 000006
【図５】
2005198234.tif 000007
【図６】
2005198234.tif 000008
【図７】
2005198234.tif 000009
【図８】
2005198234.tif 000010
【図９】
2005198234.tif 000011
【図１０】
2005198234.tif 000012
【図１１】
2005198234.tif 000013
【図１２】
2005198234.tif 000014
【図１３】
2005198234.tif 000015
【図１４】
2005198234.tif 000016
【図１５】
2005198234.tif 000017
【図１６】
2005198234.tif 000018
【図１７】
2005198234.tif 000019